(57)【特許請求の範囲】
【請求項１】
画像データを所定の転送先に転送する通信端末装置において、
ファクシミリの着信呼の画像データを受信して第１の記憶手段に格納し、回線開放した後、転送先に発呼して上記画像データを転送する第１の転送モードと、ファクシミリの着信呼を回線開放せずにそのまま所定の転送先に転送する第２の転送モードとを選択的に設定する設定手段と、
上記設定手段により設定された転送モードに基づいて、上記第１の転送モードと上記第２の転送モードの処理を選択的に実行する制御手段とを備えたことを特徴とする通信端末装置。
【請求項２】
発信元毎に、ファクシミリの着信呼を転送するか否かを設定する転送設定テーブルを記憶する第２の記憶手段をさらに備え、上記制御手段は、ファクシミリの着信呼を受信したとき、上記転送設定テーブルの発信元に基づいて、ファクシミリの着信呼を転送するか否かを決定することを特徴とする請求項１記載の通信端末装置。
【請求項３】
上記第２の記憶手段は、時間帯毎に、ファクシミリの着信呼を転送するか否かを設定する転送設定テーブルを記憶し、上記制御手段は、ファクシミリの着信呼を受信したとき、上記転送設定テーブルの時間帯に基づいて、ファクシミリの着信呼を転送するか否かを決定することを特徴とする請求項１又は２記載の通信端末装置。
【請求項４】
上記制御手段は、上記第２の転送モードにおいて、上記ファクシミリ着信呼を、ボイスワープサービスの応答後転送機能を利用して、上記転送先に転送することを特徴とする請求項１乃至３のうちのいずれか１つに記載の通信端末装置。
【発明の詳細な説明】
【０００１】
【発明の属する技術分野】
本発明は、転送機能を有するファクシミリ装置などの通信端末装置に関する。
【０００２】
【従来の技術】
従来のファクシミリ装置において、画像データの転送を行う場合、ファクシミリの画像データをファクシミリ受信して画像データに格納した後、所定の転送先にダイヤルして上記格納した画像データをファクシミリ送信する。
【０００３】
【発明が解決しようとする課題】
しかしながら、従来技術のファクシミリ装置において、上記転送先に画像データを転送するときに、ファクシミリ通信が通信エラーなどの理由により正常に行われない場合、転送元のファクシミリ装置が上記転送先にリダイヤルする必要があり、そのための通信料はすべて転送元の負担であり、転送元の通信料が不必要に高くなるという問題点があった。
【０００４】
本発明の目的は以上の問題点を解決し、画像データの転送を、従来技術に比較して転送元の通信料を節約して実行することができるファクシミリ装置などの通信端末装置を提供することにある。
【０００５】
【課題を解決するための手段】
本発明に係る通信端末装置は、
画像データを所定の転送先に転送する通信端末装置において、
ファクシミリの着信呼の画像データを受信して第１の記憶手段に格納し、回線開放した後、転送先に発呼して上記画像データを転送する第１の転送モードと、
ファクシミリの着信呼を回線開放せずにそのまま所定の転送先に転送する第２の転送モードとを選択的に設定する設定手段と、
上記設定手段により設定された転送モードに基づいて、上記第１の転送モードと上記第２の転送モードの処理を選択的に実行する制御手段とを備えたことを特徴とする。
【０００６】
上記通信端末装置において、発信元毎に、ファクシミリの着信呼を転送するか否かを設定する転送設定テーブルを記憶する第２の記憶手段をさらに備え、上記制御手段は、ファクシミリの着信呼を受信したとき、上記転送設定テーブルの発信元に基づいて、ファクシミリの着信呼を転送するか否かを決定することを特徴とする。
【０００７】
また、上記通信端末装置において、上記第２の記憶手段は、時間帯毎に、ファクシミリの着信呼を転送するか否かを設定する転送設定テーブルを記憶し、上記制御手段は、ファクシミリの着信呼を受信したとき、上記転送設定テーブルの時間帯に基づいて、ファクシミリの着信呼を転送するか否かを決定することを特徴とする。
【０００８】
さらに、上記通信端末装置において、上記制御手段は、上記第２の転送モードにおいて、上記ファクシミリ着信呼を、ボイスワープサービスの応答後転送機能を利用して、上記転送先に転送することを特徴とする。
【０００９】
【発明の実施の形態】
以下、図面を参照して本発明に係る実施形態について説明する。
【００１０】
＜実施形態＞
図１は、本発明に係る実施形態である、転送機能を有するファクシミリ装置２０の構成を示すブロック図である。
【００１１】
本実施形態に係るファクシミリ装置２０においては、以下の２つの転送モードを有し、操作部５の転送モード設定キーを用いて選択的に装置設定される。
（ａ）受信後転送処理モード：ファクシミリの着信呼の画像データを受信して画像メモリ８に格納した後、転送先に発呼して上記画像データを転送する。
（ｂ）ボイスワープ転送モード：ファクシミリの着信呼を、ＮＴＴ（日本電信電話株式会社）が提供するボイスワープサービスの応答後転送機能を利用して、そのまま所定の転送先に転送する。
【００１２】
本実施形態において、主制御部１は、上記設定された転送モードに基づいて、受信後転送処理モードと、ボイスワープ転送モードの処理を選択的に実行することを特徴としている。ここで、ファクシミリ装置２０においては、発信元毎及び時間帯毎に、ファクシミリの着信呼を転送するか否かを設定する転送設定テーブル７ａを記憶するＲＡＭ７を備え、主制御部１は、ファクシミリの着信呼を受信したとき、上記転送設定テーブルの発信元及び時間帯に基づいて、ファクシミリの着信呼を転送するか否かを決定し、決定された転送モードの処理を実行する。
【００１３】
図１において、ファクシミリ装置２０は、従来のＧ３方式等のファクシミリ通信機能を備えるとともに、転送機能を有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１４】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１５】
ＲＯＭ６は、当該ファクシミリ装置２０の動作に必要であって主制御部１によって実行される種々のソフトウェアのプログラムを予め格納し、ここで、当該プログラムは、少なくとも、図３及び図４の着信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶するとともに、後述する転送設定テーブル７ａを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１６】
ファックスモデム１０は、ＮＣＵ（ネットワーク制御回路：Network Control Unit）１１を介して公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ１１はそれぞれ、アナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００１７】
なお、ＮＣＵ１１を所定のターミナルアダプタ及びＤＳＵ（加入者線終端装置：Digital Service Unit）を介して、ベースバンド伝送方式のデジタル通信回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、転送機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
図２は図１のＲＡＭ７内の転送設定テーブル７ａの一例を示す図である。図２に示すように、発信元電話番号毎に、転送すべき転送先の電話番号と、転送すべき転送設定時間とが予め操作部５を用いて入力されて登録されている。すなわち、転送設定テーブル７ａにおける発信元電話番号と、転送設定時間とが一致すれば、主制御部１は、装置設定されている転送モードに基づいて転送処理を実行する。
【００２０】
図３及び図４は図１の主制御部１によって実行される着信処理を示すフローチャートである。
【００２１】
図３のステップＳ１において、着呼したか否かが判断され、ＹＥＳとなるまで待機し、ＹＥＳとなったとき、ステップＳ２において転送設定モードが設定か否かが判断され、ＹＥＳのときはステップＳ４に進む一方、ＮＯのときはステップＳ３に進む。ステップＳ３においては、通常の電話による通話又はファクシミリ受信処理を実行し、ステップＳ１０において回線開放して当該着信処理を終了する。一方、ステップＳ４においてファクシミリ受信か否かが判断され（すなわち、ＣＮＧ信号を検出したか否かが判断され）、ＹＥＳのときはステップＳ６に進む一方、ＮＯのときはステップＳ５に進む。ステップＳ５において電話による通話を行った後、ステップＳ１０において回線開放して当該着信処理を終了する。また、ステップＳ６においてファクシミリ設定モードか否かが判断され、ＹＥＳのときはステップＳ７に進む一方、ＮＯのときはステップＳ９に進む。ステップＳ９では、通常のファクシミリ受信処理を実行した後、ステップＳ１０において回線開放して当該着信処理を終了する。
【００２２】
次いで、ステップＳ７において転送設定テーブル７ａに基づいて、転送設定した発信元と一致するか否かが判断され、ＹＥＳのときはステップＳ８に進む一方、ＮＯのときはステップＳ９に進む。また、ステップＳ８において転送設定テーブル７ａに基づいて、転送設定した時間帯と一致するか否かが判断され、ＹＥＳのときは図４のステップＳ１１に進む一方、ＮＯのときはステップＳ９に進む。
【００２３】
図４のステップＳ１１において受信後転送処理モードか否かが判断され、ＹＥＳのときはステップＳ１２に進み、受信後転送処理モードの処理を実行する一方、ＮＯのときはステップＳ１７に進み、ボイスワープ転送モードの処理を実行する。ステップＳ１２においては、画像データをファクシミリ受信し、画像メモリ８に一時的に記憶し、ステップＳ１３において回線開放し、ステップＳ１４において転送先の電話番号をダイヤルして発呼し、ステップＳ１５において一時的に記憶した画像データをファクシミリ送信した後、ステップＳ１６において回線開放し、当該着信処理を終了する。一方、ステップＳ１７において、公衆電話回線Ｌに対してフッキング操作を実行し、ステップＳ１８において転送先の電話番号をダイヤルして発呼することにより当該ファクシミリの着信呼を転送した後、ステップＳ１９において回線開放して当該着信処理を終了する。
【００２４】
以上説明したように、本実施形態によれば、主制御部１は、上記設定された転送モードに基づいて、受信後転送処理モードと、ボイスワープ転送モードの処理を選択的に実行する。従って、ファクシミリの着信呼をそのまま通信中に転送することにより、通信が正常終了しなかった場合には、リダイヤルを発信元が行うようにしておけるので、当該ファクシミリ装置はリダイヤルせずにすむ。よって通信料が節約でき大変便利である。
【００２５】
また、ファクシミリ装置２０においては、発信元毎及び時間帯毎に、ファクシミリの着信呼を転送するか否かを設定する転送設定テーブル７ａを記憶するＲＡＭ７を備え、主制御部１は、ファクシミリの着信呼を受信したとき、上記転送設定テーブルの発信元及び時間帯に基づいて、ファクシミリの着信呼を転送するか否かを決定し、決定された転送モードの処理を実行する。従って、上記転送設定テーブルの発信元及び時間帯に応じて、転送の有無を設定できるので、当該ファクシミリ装置のユーザによって非常に便利であり、操作性を向上できる。
【００２６】
＜変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。
【００２７】
以上の実施形態においては、主制御部１は、ファクシミリの着信呼を受信したとき、上記転送設定テーブルの発信元及び時間帯に基づいて、ファクシミリの着信呼を転送するか否かを決定し、決定された転送モードの処理を実行しているが、本発明はこれに限らず、上記転送設定テーブルの発信元と時間帯とのうちの少なくとも１つに基づいて、ファクシミリの着信呼を転送するか否かを決定し、決定された転送モードの処理を実行してもよい。
【００２８】
なお、図４のステップＳ１２において転送すべき画像データを画像メモリ８に格納しているが、当該画像データを画像記録部３を用いて印刷してもよいし、転送後もそのままバックアップファイルとして格納しておいてもよい。
【００２９】
【発明の効果】
以上詳述したように、本発明に係る通信端末装置によれば、画像データを所定の転送先に転送する通信端末装置において、ファクシミリの着信呼の画像データを受信して第１の記憶手段に格納し、回線開放した後、転送先に発呼して上記画像データを転送する第１の転送モードと、ファクシミリの着信呼を回線開放せずにそのまま所定の転送先に転送する第２の転送モードとを選択的に設定する設定手段と、上記設定手段により設定された転送モードに基づいて、上記第１の転送モードと上記第２の転送モードの処理を選択的に実行する制御手段とを備える。従って、ファクシミリの着信呼をそのまま通信中に転送することにより、通信が正常終了しなかった場合には、リダイヤルを発信元が行うようにしておけるので、当該ファクシミリ装置はリダイヤルせずにすむ。よって通信料が節約でき大変便利である。
【００３０】
上記通信端末装置において、発信元毎に、ファクシミリの着信呼を転送するか否かを設定する転送設定テーブルを記憶する第２の記憶手段をさらに備え、上記制御手段は、ファクシミリの着信呼を受信したとき、上記転送設定テーブルの発信元に基づいて、ファクシミリの着信呼を転送するか否かを決定する。従って、上記転送設定テーブルの発信元に応じて、転送の有無を設定できるので、当該ファクシミリ装置のユーザによって非常に便利であり、操作性を向上できる。
【００３１】
また、上記通信端末装置において、上記第２の記憶手段は、時間帯毎に、ファクシミリの着信呼を転送するか否かを設定する転送設定テーブルを記憶し、上記制御手段は、ファクシミリの着信呼を受信したとき、上記転送設定テーブルの時間帯に基づいて、ファクシミリの着信呼を転送するか否かを決定する。従って、上記転送設定テーブルの時間帯に応じて、転送の有無を設定できるので、当該ファクシミリ装置のユーザによって非常に便利であり、操作性を向上できる。
【００３２】
さらに、上記通信端末装置において、上記制御手段は、上記第２の転送モードにおいて、上記ファクシミリ着信呼を、ボイスワープサービスの応答後転送機能を利用して、上記転送先に転送する。従って、きわめて簡単な処理操作で通信中転送を行うことができる。
【図面の簡単な説明】
【図１】  本発明に係る実施形態である、転送機能を有するファクシミリ装置２０の構成を示すブロック図である。
【図２】  図１のＲＡＭ７内の転送設定テーブル７ａの一例を示す図である。
【図３】  図１の主制御部１によって実行される着信処理の第１の部分を示すフローチャートである。
【図４】  図１の主制御部１によって実行される着信処理の第２の部分を示すフローチャートである。
【符号の説明】
１…主制御部、
２…画像読取部、
３…画像記録部、
４…表示部、
５…操作部、
６…ＲＯＭ、
７…ＲＡＭ、
７ａ…転送設定テーブル、
８…画像メモリ、
９…クロック回路、
１０…ファックスモデム、
１１…ＮＣＵ、
１３…バス、
２０…ファクシミリ装置、
Ｌ…公衆電話回線。
【図１】
0003654270.tif 000002
【図２】
0003654270.tif 000003
【図３】
0003654270.tif 000004
【図４】
0003654270.tif 000005